(57)【要約】  【課題】  商品の会計情報を、ネットを介することなく商品購入時に電子データとして恒常的に利用可能な非紙媒体である電子媒体に出力して保持させること。  【解決手段】  電子媒体処理装置１０は、再書き込み可能な電子媒体２０と、電子媒体に記録した会計履歴情報を読み込むリード部１１と、商品のラベルに表示されたバーコードを取り込むスキャナ部１２と、バーコード情報に応じた商品情報を設定する会計情報設定部１３と、会計履歴情報を更新する会計情報蓄積部１４と、更新した会計履歴情報を電子媒体に書き込むメモリ出力部１５と、会計履歴情報を目視情報とする表示出力部１６とを備えて構成する。【選択図】        図１
2009187434.tif 000002
【特許請求の範囲】
【請求項１】
商品購買の履歴である会計履歴情報を記憶できるメモリ機能を有するＩＣチップを備えた電子媒体と、
上記メモリに記憶されている会計履歴情報を読み込むリード部と、
購入する商品ラベルに記載された商品情報を読み込むスキャナ部と、
上記商品情報に応じた会計情報の設定を行なう会計情報設定部と、
上記会計履歴情報に上記会計情報を蓄積する会計情報蓄積部と、
上記会計情報が蓄積された会計履歴情報を上記メモリに書き込むメモリ出力部と
を備えた電子媒体処理装置。
【請求項２】
上記電子媒体は、表裏面を有するカード状に形成され、当該表裏面の一部に再書き込み表示可能な表示部を備え、
上記表示部に、上記会計情報が蓄積された会計履歴情報を書き込む表示出力部を備えたことを特徴とする請求項１記載の電子媒体出力装置。
【請求項３】
上記電子媒体への会計蓄積情報書き込み時に、上記表示部側に表示出力部が位置し、当該表示部の反対側にメモリ出力部が位置するように、上記表示出力部と上記メモリ出力部とを相対して配置することを特徴とする請求項２記載の電子媒体処理装置。
【請求項４】
上記表示部は、感熱作用により再書き込み可能な感熱材からなり、
上記表示出力部は、上記表示部に感熱書き込みを行なうサーマルヘッドを備えることを特徴とする請求項１、２または３記載の電子媒体処理装置。
【請求項５】
上記表示部は、磁気作用により再書き込み可能な磁気材からなり、
上記表示出力部は、上記表示部に磁気書き込みを行なう磁気ヘッドを備えることを特徴とする請求項１、２または３記載の電子媒体処理装置。
【請求項６】
上記電子媒体は、上記ＩＣチップと上記リード部との情報交信に必要なアンテナとからなるインレットを備え、
上記リード部と上記メモリ出力部は、上記電子媒体と上記会計履歴情報の情報交信を行なう共通のアンテナを備えることを特徴とする請求項１、２、３、４または５記載の電子媒体処理装置。
【請求項７】
上気商品情報は、デジタルコードからなり、
上記スキャナ部は、上記デジタルコードを読み込む機能を備え、
上記会計情報設定部は、上記デジタルコード情報に応じた商品情報を設定する機能を備えることを特徴とする請求項１、２、３、４、５または６記載の電子媒体処理装置。
【発明の詳細な説明】
【技術分野】
【０００１】
本発明は、商品購入時における会計情報の出力処理を行なう電子媒体処理装置に関し、詳しくは、会計情報を電子化して電子媒体に出力する電子媒体処理装置に関する。
【背景技術】
【０００２】
従来、購入商品の会計情報の提供は、会計情報を紙レシートに印刷して行われている。このような会計情報には、購入日付、商品名、個数、商品単価、合計金額等が記載されている。近年においては、特許文献１に記載されているように、会計情報を提供する装置として、紙レシートとデジタルデータである電子レシートとを選択して出力できるものが開示されている。
この装置では、前提として、顧客毎の電子レシートデータがインターネットに接続されたサーバに記憶されている。顧客が電子レシートを必要とするときは、装置からネットを介してサーバに電子レシートの配信要求を行なうことによりメールにて電子レシートの配信が受けられる。
【特許文献１】特開平２００２−３１２８５３号公報
【発明の開示】
【発明が解決しようとする課題】
【０００３】
しかし、上記装置で用いられる電子レシートは電子データそのものであり、電子レシートを利用するためには、先ずネットに接続しなければ求める情報を得ることができない。
また、電子レシートの供給は、ネットを介して行なわれる。つまり、ネットに異常が生じた場合には、電子レシートを得る事ができない。
また、上記装置で選択的に出力できる紙レシートは、従来の紙レシートと何ら変わることなく紙資源の消費を助長する。
【０００４】
本発明は以上のような諸問題にかんがみなされたもので、ネットを介することなく商品の会計情報を電子データとして電子媒体に常時保持可能にする装置を提供することを課題とする。
また、紙レシートを使うことなく恒常的に利用できる電子媒体を用いることで紙資源の保全に供することを課題とする。
【課題を解決するための手段】
【０００５】
すなわち本発明は、商品購買の履歴である会計履歴情報を記憶できるメモリ機能を有するＩＣチップを備えた電子媒体と、上記メモリに記憶されている会計履歴情報を読み込むリード部と、購入する商品ラベルに記載された商品情報を読み込むスキャナ部と、上記商品情報に応じた会計情報の設定を行なう会計情報設定部と、上記会計履歴情報に上記会計情報を蓄積する会計情報蓄積部と、上記会計情報が蓄積された会計履歴情報を上記メモリに書き込むメモリ出力部とを備えた電子媒体処理装置を提供する。
用いる電子媒体は接触型や非接触型のＩＣカードが利用できる。商品情報は、商品名及び販売価格そのものや、コード化された情報を利用できる。また、商品情報には、サービスポイント等購買情報に関連する情報も含まれる。
【０００６】
また、電子媒体は、表裏面を有するカード状に形成され、表裏面の一部に再書き込み表示可能な表示部を備え、表示部に、会計情報が蓄積された会計履歴情報を書き込む表示出力部を備えた電子媒体出力装置を提供する。
表示部には、直近の購買情報を表示することができ、電子媒体のメモリに記録する情報と区別することができる。
【０００７】
また、電子媒体への会計蓄積情報書き込み時に、表示部側に表示出力部が位置し、表示部の反対側にメモリ出力部が位置するように、表示出力部とメモリ出力部とを相対して配置する電子媒体処理装置を提供する。
電子媒体の表裏両面に夫々情報を同時に書き込むことができる。
【０００８】
また、表示部は、感熱作用により再書き込み可能な感熱材からなり、表示出力部は、表示部に感熱書き込みを行なうサーマルヘッドを備える電子媒体処理装置を提供する。
【０００９】
また、表示部は、磁気作用により再書き込み可能な磁気材からなり、表示出力部は、表示部に磁気書き込みを行なう磁気ヘッドを備える電子媒体処理装置を提供する。
【００１０】
また、電子媒体は、ＩＣチップとリード部との情報交信に必要なアンテナとからなるインレットを備え、リード部とメモリ出力部は、電子媒体と会計履歴情報の情報交信を行なう共通のアンテナを備える電子媒体処理装置を提供する。
非接触情報交信が可能になる。
【００１１】
また、商品情報は、デジタルコードからなり、スキャナ部は、上記デジタルコードを読み込む機能を備え、会計情報設定部は、デジタルコード情報に応じた商品情報を設定する機能を備える電子媒体処理装置を提供する。
商品情報は、装置自体に持たせても、外部に持たせてもよい。
【発明の効果】
【００１２】
以上説明したように、本発明によると、購入した商品の会計情報はネットを介して取得する必要がなく、個人所有の電子媒体に蓄積可能になる。
また、電子媒体に蓄積された情報は個人で利用可能であり、家計簿情報等として有効にパソコン等で利用できる。
また、用いる電子媒体は、リライタブル可能な非紙材質である。従来、会計情報出力媒体として大量に消費されているリライタブル不能な紙媒体を使う必要がない。即ち、紙資源の徒な浪費が抑制され、紙資源の保全に大きく貢献できる。
【発明を実施するための最良の形態】
【００１３】
つぎに本発明の実施の形態による電子媒体処理装置を図１乃至図３に基づき説明する。
基本的に、本発明の電子媒体処理装置は、商品の購入によって生じる会計情報を出力する意味において、従来のＰＯＳ端末と変わりは無い。しかし、出力対象が、紙媒体ではなく、電子データを記憶できる電子媒体を用いることにおいて異なり、非常に有効な効果を奏するものである。
また、ここで用いる商品情報は、バーコード（デジタルデータ）とし、バーコードに対応する商品情報（商品名や金額等）はネットを介して接続されるホストのデータベースに蓄積している。
尚、ここで説明する機能は、その機能を通常実現する機器により行なわれる。
【００１４】
図１には、本発明の電子レシート処理装置のブロック構成図を示す。
電子媒体処理装置１０は、電子媒体２０と、リード部１１と、スキャナ部１２と、会計情報設定部１３と、会計情報蓄積部１４と、メモリ出力部１５と、表示出力部１６とを備えて構成する。以下、電子媒体処理装置１０の構成について説明する。また、電子媒体処理装置１０の動作についても、図３を参照して説明する。
【００１５】
電子媒体２０は、図２に示すように、表裏面を有するカード状に形成されている。
図２（Ａ）に示すように、電子媒体の表面２１は感熱作用により再書き込み可能な感熱材からなる表示部２２を備える。
また、図２（Ｂ）に示すように、電子媒体の裏面２３はＩＣチップ２４とアンテナ２５とからなるインレットを備える。
また、図３（Ｃ）に示す電子媒体１１の断面図によれば、表裏面の間には断熱面２６が設けられている。
この電子媒体２０の構成から、電子媒体２０の表面２１からの感熱書き込みと、裏面２３からの無線書き込みとは、同時に処理可能であることがわかる。図示しないが、電子媒体２０への会計蓄積情報書き込み時に、表示部２１側に表示出力部１６が位置し、表示部２１の反対側にメモリ出力部１５が位置するように、表示出力部１６とメモリ出力部１５とを相対して配置している。
【００１６】
リード部１１は、メモリ出力部１５は、電子媒体と無線による情報交信を行なう共通のアンテナを備える。情報交信にて、リード部１１はメモリに記憶されている会計履歴情報を読み込み（図３Ａ）、メモリ出力部１５は新たに購入した商品の会計情報が蓄積された会計履歴情報を上記メモリに書き込む（図３Ｂ）。
【００１７】
スキャナ部１２は、商品のラベルに表示されたバーコード（デジタルコード）を読み込む（図３Ｃ）機能を備える。
【００１８】
会計情報設定部１３は、バーコードに応じた商品情報を設定する機能を備える。スキャナ部１２で読み取ったバーコードデータはネットを介してホストのデータベースにて照会され、対応する商品情報が会計情報設定部１３に設定される（図３Ｄ）。
【００１９】
会計情報蓄積部１４は、リード部１１で読み込まれた会計履歴情報に、会計情報設定部１３に設定された商品情報を加える（図３Ｅ）。会計履歴情報と商品情報とは、実質データ形式が同じである。購入時の商品の個々の商品情報が個別に蓄積されるとともに、これまでの合計金額や購入日時における購入金額の計算処理を行なう。
【００２０】
表示出力部１６は、表示部２２に会計履歴情報を感熱作用により書き込みを行なうサーマルヘッドを備える。会計履歴情報は、表示出力部１６にて、ドットデータに変換されて表示部２２に反映される（図３Ｆ）。表示出力部１６に提供される会計履歴情報の例としては、最新の購入日時の会計情報や過去の購入金額等が挙げられる。
【００２１】
このように、本発明の電子媒体処理装置１０を用いれば、従来例のように紙媒体を全く必要としない。また、ネットに依存することなく会計履歴情報を電子媒体に保持することができる。
また、会計履歴情報をパソコン等で取り込み所望の情報形式にすることができる。
【００２２】
以上の如く、本発明を上記実施例にて説明したが、当該実施例に限定されることはない。電子媒体２０の表示部２１に磁気作用により再書き込み可能な磁気材を用い、表示出力部１６に、表示部１５に磁気書き込みを行なう磁気ヘッドを備えても同様の効果を得ることができる。
【図面の簡単な説明】
【００２３】
【図１】本発明の実施の形態に係る電子媒体処理装置の機能ブロック図。
【図２】本発明の実施の形態に係る電子媒体処理装置の電子媒体の一例を示す構成図。
【図３】本発明の実施の形態に係る電子媒体処理装置の動作説明図。
【符号の説明】
【００２４】
１０  電子媒体処理装置
１１  リード部
１２  スキャナ部
１３  会計情報設定部
１４  会計情報蓄積部
１５  メモリ出力部
１６  表示出力部
２０  電子媒体
２１  表面
２２  表示部
２３  裏面
２４  ＩＣチップ
２５  アンテナ
２６  断熱面
【図１】
2009187434.tif 000003
【図２】
2009187434.tif 000004
【図３】
2009187434.tif 000005